(57)【特許請求の範囲】
【請求項１】
先端にカッターヘッドを回転可能に配置すると共に該カッターヘッドとの間に掘削物を収容する削土室を構成するための隔壁を設けたシールド本体と、
前記シールド本体の後端に屈折可能に接続されたテールシールドと、
削土室に開口した先端側に円筒部が形成され該円筒部に連続して後端側に向けて径が拡大するテーパ部が形成された筒状ケーシングと、
前記筒状ケーシングのテーパ部に接続され先端側の内径が大きく後端側にかけて内径が小さくなるロート状に形成された破砕壁を有する破砕部材と、
前記破砕部材に接続され前記筒状ケーシングを通過した掘削物を排出する排出部材と、
前記破砕部材の破砕壁と対応する位置に配置され先端部の外径が小さく元端部の外径が大きい円錐台状に形成されたコーンローターと、
前記破砕部材を貫通して配置され該破砕部材の破砕壁と対応する部位に偏心部が形成されると共に該偏心部に前記コーンローターを自由回転可能に装着した駆動軸と、
前記駆動軸の前記破砕部材を貫通した先端に取り付けられたボスに設けられ外周面が前記筒状ケーシングの内周面と対向して該筒状ケーシングと共にコンベアを構成する螺旋部材と、
前記駆動軸の前記破砕部材を貫通した先端に、前記螺旋部材を設けたボスと共に取り付けられ、前記破砕部材に形成された破砕壁と前記駆動軸の偏心部に自由回転可能に装着されたコーンローターとの間に構成された空間に配置された翼部を有する攪拌部材と、
を有することを特徴とする掘進機。
【請求項２】
前記削土室に開口し該削土室に水を供給する水供給部材を有し、前記水供給部材から削土室に水を供給して供給された水と削土室に収容された掘削物とを、前記筒状ケーシングと前記螺旋部材とによって構成されたコンベアによって前記破砕部材に形成された破砕壁と前記駆動軸の偏心部に自由回転可能に装着されたコーンローターとの間に構成された空間を通して排出部材から排出し得るように構成したことを特徴とする請求項１に記載した掘進機。
【請求項３】
前記螺旋部材が、外周面が前記筒状ケーシングの内周面と対向し且つ内周面が予め設定された仮想円周面に位置するように形成された螺旋状の羽根を有するものであることを特徴とする請求項１又は請求項２に記載した掘進機。
【請求項４】
前記螺旋部材が、前記駆動軸の前記破砕部材を貫通した先端に取り付けられたボスに設けられた軸と、該軸の外周に形成され外周面が前記筒状ケーシングの内周面と対向して螺旋状の羽根と、を有して構成され、且つ前記筒状ケーシングの内部に水を供給する配管が接続されていることを特徴とする請求項１又は請求項２に記載した掘進機。
【請求項５】
前記シールド本体に設けた隔壁に前記カッターヘッドを駆動する駆動モーターを含む駆動装置が突出して取り付けられており、前記筒状ケーシングに接続された破砕部材は前記駆動装置の突出端部よりも後端側に配置されていることを特徴とする請求項１乃至請求項４の何れかに記載した掘進機。
【発明の詳細な説明】
【技術分野】
【０００１】
本発明は、地中に比較的径の小さいトンネルを掘削する際に用いて有利な掘進機に関するものである。
【背景技術】
【０００２】
地中にトンネルを掘削する際に用いられる掘進機は、シールド本体の先端に地山を掘削する掘削部材を取り付けたカッターヘッドを回転可能に設けて構成されている。そして、カッターヘッドを回転させつつ推進することで地山を掘削し、掘削された土砂や礫をカッターヘッドとシールド本体との間に構成された削土室に取り込み、取り込んだ土砂や礫を外部に排出している。
【０００３】
例えば、地山が崩れ易い土砂地盤の場合、削土室に掘削した土砂を滞留させて地山の崩落を防ぎながら掘進機を推進している。また、地山が崩落する虞のない岩盤である場合、削土室に取り込んだずりや礫を速やかに外部に排出しながら掘進機を推進している。
【０００４】
カッターヘッドに取り付ける掘削部材は、地山の地質に対応させて該地山を最も効率良く掘削し得るものが採用される。例えば、地山が岩盤層を含むような場合、岩盤を掘削するのに適した例えばローラーカッターやディスクカッター等の掘削部材が採用される。また、地山が粘性土層であるような場合、該粘性土層を掘削するのに適したカッタービットやスクレーパー等の掘削部材が採用される。
【０００５】
上記の如き複数の掘削部材を採用したカッターヘッドは、これらの掘削部材を取り付けるために面盤状に構成されるのが一般的であり、該面盤に掘削した土砂や礫を取り込む開口部が形成されている。そして、削土室に取り込んだ土砂や礫を円滑に外部に排出することで、該削土室に新たに掘削された土砂や礫を円滑に取り込むことが可能なように構成されている。このため、削土室内に取り込んだ土砂や礫を速やかに外部に排出し得ない場合、新たに掘削された土砂や礫を取り込むことが出来なくなり、この結果、掘進機の推進が出来なくなる虞がある。
【０００６】
特に岩盤を掘削する場合には、円滑な掘削を実現するためにローラーカッターやディスクカッターの刃先を常に新鮮な岩盤に接触させておくことが必要である。このため、掘削の進行に伴って発生する土砂やズリ、或いは岩片や礫等を掘削部位から速やかに排除して削土室に取り込むことで、常に新鮮な岩盤を露出させておくことが必要となる。
【０００７】
削土室に取り込まれた土砂や礫を外部に排出する代表的な構造として、スクリューコンベアに代表されるコンベアを用いる排出構造と、配管を用いて削土室に供給された水と共に土砂や礫を排出する排出構造と、がある。そして、これらの排出構造は、掘進機の径や地山の条件等に応じて適宜選択される。
【０００８】
例えば特許文献１に記載された技術は、スクリューコンベアを構成するスクリューケーシングの前端に、前端から後端にかけて漸次収斂した円錐筒形のクラッシャーケーシングを連設すると共に、スクリューコンベアを構成するスクリュー羽根の前端に、クラッシャーケーシング内を経てカッターチャンバー内に延びるクラッシャーケーシングと対応してスクリュー径が漸次大となり且つピッチが後方に向かって漸次大となったコイル状スクリューを一体に設けている。また、スクリューコンベアの中空回転軸の内部にはクラッシャー軸が回転自在に挿通され、該クラッシャー軸の先端にクラッシャーケーシング内において該クラッシャーケーシングと逆テーパ円錐形のクラッシャー回転体が一体に取り付けられている。従って、スクリューコンベアとクラッシャー回転体とは夫々個別に回転させ得るように構成されている。
【０００９】
上記特許文献１の技術では、カッターチャンバーに対する取り込み量と排土量とをバランスさせるように、スクリューコンベアとクラッシャー回転体を夫々適宜の回転速度で単独に回転駆動し、カッターチャンバー内に取り込まれた土砂、大礫、玉石などはコイル状スクリューによって送り込まれ、土砂、礫塊はカッターチャンバー、クラッシャーケーシングで圧密され、大礫塊はクラッシャー回転体により破砕される。そして、破砕された礫塊は掘削土砂と共にスクリューコンベアによって後方に搬送され、排出口から別のベルトコンベアにて排出される。
【００１０】
また、泥水工法を採用した掘進機の場合、カッターヘッドの回転中心とは異なる回転中心を有しカッターヘッドと同期して偏心回転する円錐台状のコーンローターを設けると共に、該コーンローターに対応する削土室の内周を該コーンローターのテーパとは反対向きのテーパ状に形成し、削土室に取り込まれた礫をコーンローターとテーパ状に形成した壁面とに挟み込んで破砕し、破砕された礫と掘削土砂を泥水と共に排出し得るように構成したものが提案されている（例えば特許文献２参照）。
【００１１】
また、特許文献３には、カッタチャンバー内に投入口付の円筒体を設け、この円筒体の内部に礫破砕機がエキセントリックに配置され、破砕室の上部には送泥管が連通しており、貯礫室の排出口には排泥管が連通したシールド掘進機が記載されている。このシールド掘進機では、破砕室に取り込まれた礫は破砕機によって破砕され、破砕された礫は送泥管から送られる泥水と共に貯礫室を通って排泥管から排出される。
【先行技術文献】
【特許文献】
【００１２】
【特許文献１】特開昭６０−０２６７９９号公報
【特許文献２】特開平０９−２５０２９２号公報
【特許文献３】実開昭５９−１９６９７号
【発明の概要】
【発明が解決しようとする課題】
【００１３】
特許文献１〜３に記載された掘進機は、掘削すべきトンネルの径が比較的大きく、従って削土室の径も大きくなり、コイル状スクリューの寸法や配置位置、又はコーンローターの配置位置に余裕がある場合に適用される。このような掘進機では、カッターヘッドの裏面側に形成された削土室（カッターチャンバー）に取り込まれた土砂や礫を速やかに排出することができる。
【００１４】
しかし、特許文献１に記載された掘進機では、コイル状スクリューとカッターチャンバー及びクラッシャーケーシングとの協働によって土砂をスクリューコンベアの断面内で一様に圧密して排出しているため、掘削した土砂が粘性土であるような場合、円滑な排出を実現することが困難になる虞がある。またスクリューコンベアとクラッシャー回転体を異なる回転速度で駆動するため、駆動系の構成が複雑となり、これらが掘進機内部の空間に占める割合が大きくなり、掘進機の径を小さくするという要求が生じたときに対応し得なくなる虞もある。
【００１５】
また、掘削すべきトンネルの径が小さくなり、これに伴って掘進機の径が小さくなった場合、特許文献２に記載された掘進機のようにカッターヘッドの回転中心とコーンローターの回転中心を異なる位置に配置することが困難になるという問題が生じている。
【００１６】
同様に、特許文献３に記載されたシールド掘進機の場合でも、破砕室がカッタチャンバー内に縦型に配置されるため、掘削すべきトンネルの径が小さくなった場合に対応することが困難になるという問題が生じている。
【００１７】
このため、径の小さいトンネルを掘削する掘進機であっても、削土室に取り込まれた土砂を速やかに排出することができ、且つ礫を破砕することができる掘進機の開発が要求されているのが実状である。
【００１８】
本発明の目的は、掘削すべきトンネルの径が小さい場合でも、掘削した土砂や礫を速やかに排出することができる掘進機を提供することにある。
【課題を解決するための手段】
【００１９】
上記課題を解決するために本発明に係る掘進機は、先端にカッターヘッドを回転可能に配置すると共に該カッターヘッドとの間に掘削物を収容する削土室を構成するための隔壁を設けたシールド本体と、前記シールド本体の後端に屈折可能に接続されたテールシールドと、削土室に開口した先端側に円筒部が形成され該円筒部に連続して後端側に向けて径が拡大するテーパ部が形成された筒状ケーシングと、前記筒状ケーシングのテーパ部に接続され先端側の内径が大きく後端側にかけて内径が小さくなるロート状に形成された破砕壁を有する破砕部材と、前記破砕部材に接続され前記筒状ケーシングを通過した掘削物を排出する排出部材と、前記破砕部材の破砕壁と対応する位置に配置され先端部の外径が小さく元端部の外径が大きい円錐台状に形成されたコーンローターと、前記破砕部材を貫通して配置され該破砕部材の破砕壁と対応する部位に偏心部が形成されると共に該偏心部に前記コーンローターを自由回転可能に装着した駆動軸と、前記駆動軸の前記破砕部材を貫通した先端に取り付けられたボスに設けられ外周面が前記筒状ケーシングの内周面と対向して該筒状ケーシングと共にコンベアを構成する螺旋部材とを有するものである。
【００２０】
また、本発明に係る掘進機は、前記駆動軸の前記破砕部材を貫通した先端に、前記螺旋部材を設けたボスと共に取り付けられ、前記破砕部材に形成された破砕壁と前記駆動軸の偏心部に自由回転可能に装着されたコーンローターとの間に構成された空間に配置された翼部を有する攪拌部材を有するものである。
【００２１】
また、上記何れかの掘進機に於いて、前記削土室に開口し該削土室に水を供給する水供給部材を有し、前記水供給部材から削土室に水を供給して供給された水と削土室に収容された掘削物とを、前記筒状ケーシングと前記螺旋部材とによって構成されたコンベアによって前記破砕部材に形成された破砕壁と前記駆動軸の偏心部に自由回転可能に装着されたコーンローターとの間に構成された空間を通して排出部材から排出し得るように構成したことが好ましい。
【００２２】
また、上記何れかの掘進機に於いて、前記螺旋部材が、外周面が前記筒状ケーシングの内周面と対向し且つ内周面が予め設定された仮想円周面に位置するように形成された螺旋状の羽根を有するものであることが好ましい。
【００２３】
また、上記何れかの掘進機に於いて、前記螺旋部材が、前記駆動軸の前記破砕部材を貫通した先端に取り付けられたボスに設けられた軸と、該軸の外周に形成され外周面が前記筒状ケーシングの内周面と対向して螺旋状の羽根と、を有して構成され、且つ前記筒状ケーシングの内部に水を供給する配管が接続されていることが好ましい。
【００２４】
また、上記何れかの掘進機に於いて、前記シールド本体に設けた隔壁に前記カッターヘッドを駆動する駆動モーターを含む駆動装置が突出して取り付けられており、前記筒状ケーシングに接続された破砕部材は前記駆動装置の突出端部よりも後端側に配置されていることが好ましい。
【発明の効果】
【００２５】
本発明に係る掘進機では、削土室に取り込まれた土砂や礫を、削土室に開口した筒状ケーシングと筒状ケーシングの円筒部に配置された螺旋部材とによって後方に搬送することができる。このため、削土室には筒状ケーシングが開口していれば良く、該削土室の径が小さくなった場合でも容易に対応することができる。
【００２６】
そして、搬送された土砂や礫は、筒状ケーシングに接続された破砕部材の破砕壁とこの破砕壁に対応して配置されると共に駆動軸の偏心部に自由回転可能に装着されたコーンローターとによって構成された空間に至り、土砂は破砕壁とコーンローターの間隙を通って排出部材に排出され、礫は破砕壁とコーンローターとに挟まれて破砕された後、排出部材に排出される。従って、土砂及び礫は夫々最適な状態で処理されて速やかに排出される。
【００２７】
特に、礫は破砕壁とコーンローターの間に挟まれて破砕される。即ち、礫が破砕壁とコーンローターとによって構成された空間に到達したとき、先ず、コーンローターの偏心回転に伴って破砕壁との間に挟まれ、このときの抵抗によってコーンローターが駆動軸の偏心部を中心として回転する。このため、駆動軸に生じる負荷が小さく且つ良好な破砕を実現することができる。そして、破砕後の礫を円滑に排出することができる。
【００２８】
また、駆動軸の先端に、破砕壁とコーンローターとの間に構成された空間に配置された翼部を有する攪拌部材を取り付けたので、駆動軸の回転に伴って攪拌部材の翼部が前記空間の内部を攪拌することができる。このため、攪拌翼によって、破砕壁とコーンローターの間にある土砂や礫を動かすことが可能となり、土砂の過度の圧密を防いで排出方向への円滑な移動を実現すると共に、礫に対する円滑な破砕と破砕された礫の排出方向への円滑な移動を実現することが出来る。
【００２９】
また、削土室に開口した水供給部材から削土室に水を供給し、供給された水と削土室に収容された土砂や礫を含む掘削物を筒状ケーシングと螺旋部材とによって構成されたコンベアによって排出し得るように構成したことによって、削土室に供給された水の流れを利用して該削土室に取り込んだ土砂や礫を円滑に移動させることができる。
【００３０】
また、螺旋部材が、外周面が前記筒状ケーシングの内周面と対向し且つ内周面が予め設定された仮想円周面に位置するように形成された螺旋状の羽根を有するものである場合、この螺旋状の羽根の内周面側にはボスから削土室に至る筒状の空間が形成される。前記空間は、羽根に拘束されることなく筒状ケーシングを貫通して形成されることとなり、削土室からボスを経て破砕室に至る水路を構成することができる。このため、筒状ケーシング内に於ける水の流通を保持することが可能となり、土砂や礫の排出を円滑に行うことができる。
【００３１】
また、螺旋部材が、前記駆動軸の前記破砕部材を貫通した先端に取り付けられたボスに設けられた軸と、該軸の外周に形成され外周面が前記筒状ケーシングの内周面と対向して螺旋状の羽根と、を有して構成され、且つ前記筒状ケーシングの内部に水を供給する配管が接続されているように構成した場合、筒状ケーシングと羽根と軸とによって構成される空間に水を供給することができる。
【００３２】
例えば、上記空間が土砂や礫によって閉塞されたとき水の流通を確保し得なくなる虞があるが、筒状ケーシングに接続された配管によって該筒状ケーシングの内部に水を供給することで、水の流通を確保することが可能となし、この水によって土砂や礫の排出を円滑に行うことができる。
【００３３】
また、筒状ケーシングに接続された破砕部材の位置を、シールド本体に設けた隔壁に突出して取り付けた駆動装置の突出端部よりも後端側とすることによって、掘進機内部の機器類を合理的に配置することができる。このため、掘進機の径を小さくした場合でも、破砕壁の径やコーンローターの径を大きくすることができ、破砕能力の低下を招くことがない。
【図面の簡単な説明】
【００３４】
【図１】第１実施例に係る掘進機の構成を説明する図である。
【図２】第１実施例に係る掘進機の構成を説明する図であり、（ａ）は図１のａ矢視図、（ｂ）は図１のｂ−ｂ断面矢視図である。
【図３】第１実施例に係る掘進機の要部の構成を説明する拡大図であり、（ａ）は要部断面図、（ｂ）は右側面図である。
【図４】第２実施例に係る掘進機の要部の構成を説明する拡大図である。
【図５】第３実施例に係る掘進機の要部の構成を説明する拡大図である。
【発明を実施するための形態】
【００３５】
以下、本発明に係る掘進機について説明する。本発明に係る掘進機は、岩盤層や粘性土層を含む地山に比較的径の小さいトンネルを掘削する際に用いて有利なように構成されたものである。
【００３６】
即ち、本発明に係る掘進機は、カッターヘッドとシールド本体の隔壁との間に構成された削土室に直接破砕壁を開口させることなく、該破砕室の径よりも小さい径を持った筒状ケーシングを開口させて構成されている。そして、筒状ケーシングと螺旋部材とによって構成されたコンベアによって削土室に取り込まれた土砂や礫を破砕壁とコーンローターを有する破砕部材まで搬送し、この破砕部材を通過した土砂や礫を排出部材によって排出し得るように構成されている。
【００３７】
従って、破砕部材の配置を筒状ケーシングの長さに対応させて設定することで、削土室の直径をコーンローターの直径とは無関係に設定することが可能となる。このため、削土室の径が小さい場合でも対応することが可能である。
【実施例１】
【００３８】
以下、第１実施例に係る掘進機Ａの構成について図１〜図３により説明する。先ず、掘進機Ａの概略的な構成について簡単に説明する。
【００３９】
図に於いて、掘進機Ａは、シールド本体１とテールシールド２を複数の方向制御ジャッキ３によって接続することで互いに屈折可能に構成されており、シールド本体１の先端側（図１の左側、以下「前側」ともいう）にカッターヘッド４が回転可能に設けられている。またテールシールド２の後端側（図１の右側、以下「後側」ともいう）には推進管Ｃが接続され、発進立坑に設置した元押し装置から発生する推力がテールシールド２に直接、或いは推進管Ｃを介して伝達されることで推進される。
【００４０】
シールド本体１は隔壁５によって機内室６と削土室７に分割されており、機内室６にはカッターヘッド４を駆動するモーター、減速機及び変速機からなる複数の駆動装置８、後述するように構成された搬送破砕装置Ｂ、削土室７に水を供給する送泥管９及び排泥管１０が配置されている。
【００４１】
送泥管９は水の供給部材を構成するものであり、図示しない送泥ポンプが接続されている。この送泥管９は隔壁５の上方に接続されて削土室７の上部から水を供給し得るように構成されている。また、排泥管１０は排出部材を構成するものであり、図示しない排泥ポンプが接続されている。この排泥管１０は後述する破砕部材２２の排出室２２ｃに接続されている。
【００４２】
更に、機内室６の内部には、掘進機Ａの推進方向の予定敷設線からのズレを検出するためのインジケーターを含む機器類１１や、前記ズレを検出したとき該掘進機Ａを予定敷設線の方向に推進方向を制御するためのレーザプロジェクターやインジケータを含む機器類１２、更に、掘進機Ａの推進方向を制御する際にジャッキに圧油を供給する油圧ユニットや圧力計及び電磁弁等の機器類１３が配置されている。
【００４３】
また、前記各機器類１１〜１３を構成するインジケーターや圧力計は一つのパネルに配置されており、このパネルはテレビカメラ１４によって撮影され、地上に設けた図示しない制御装置に設けたディスプレイを利用して作業員に監視されている。そして、掘進機Ａの推進方向が予定敷設線からズレた場合、方向制御ジャッキ３を駆動して推進方向を修正し得るように構成されている。
【００４４】
カッターヘッド４は、岩盤層や粘性土層等からなる地山を掘削してシールド本体１及びテールシールド２の外径よりも大きい径を持った孔を形成するものであり、隔壁５に構成された支持部１５の内部に配置され該支持部１５によって回転可能に支持された図示しない軸に固定されたボス部４ａと、該ボス部４ａに固着された複数のスポーク４ｂと、複数のスポーク４ｂによって支持された面板４ｃとによって構成されている。
【００４５】
複数の駆動装置８によるカッターヘッド４を駆動する図示しない軸の駆動機構は特に限定するものではなく、ギヤやチェン等の伝動部品を介在させた種々の機構を選択的に採用することが可能である。本実施例では、軸に大径ギヤを固定すると共にこの大径ギヤに４個の小径ギヤを噛合させておき、各小径ギヤ毎に駆動装置８を設けて駆動し得るように構成している。従って、支持部１５を中心として４台の駆動装置８が配置されている。
【００４６】
各駆動装置８及び支持部１５は夫々隔壁５に取り付けられており、該隔壁５から機内室６の内部に向けて片持ち状に突出して構成されている。駆動装置８及び支持部１５の隔壁５からの突出長さは限定するものではなく、カッターヘッド４を駆動するのに必要な動力を出力するための仕様に応じた長さを有している。
【００４７】
削土室７は、前端側がカッターヘッド４の面板４ｃによって規制されると共に後端側がシールド本体１に設けた隔壁５によって規制され、更に、外周がシールド本体１の一部である周壁１ａによって規制されている。従って、削土室７はカッターヘッド４とシールド本体１によって囲まれた空間であり、後述するカッターヘッド４の面板４ｃに形成した取込口１６から掘削した土砂や礫を取り込んで収容し得るように構成されている。
【００４８】
カッターヘッド４の所定位置には複数の掘削部材が配置されている。これらの掘削部材は、岩盤層を掘削するのに適したローラーカッター１７、粘性土層を含む岩盤層以外の地層を掘削するのに適したカッタービット１８が夫々所定数設けられている。これらのローラーカッター１７、カッタービット１８は夫々面板４ｃに対し着脱可能に取り付けられている。また、面板４ｃに於ける所定位置には、掘削された岩片や礫或いは土砂を削土室７に取り込むための取込口１６が形成されている。
【００４９】
上記の如く構成した掘進機Ａでは、削土室７の上部に泥水を供給し、テールシールド２の後端側から推力を付与しつつカッターヘッド４を回転させることで岩盤層や粘性土層からなる地山を掘削し、掘削された礫や土砂を削土室７に取り込み、取り込んだ礫や掘削土砂を搬送破砕装置Ｂによって搬送及び破砕或いは圧密し、排泥管１０を介して外部に排出することで推進することが可能である。そして掘進機Ａを推進するのに伴って該掘進機Ａが予定敷設線からズレたことを検出した場合、方向制御ジャッキ３を駆動してシールド本体１とテールシールド２の角度を適宜設定して推進することで、掘進機Ａを予定敷設線に沿って推進することが可能である。
【００５０】
次に、搬送破砕装置Ｂの構成について具体的に説明する。搬送破砕装置Ｂは、掘進機Ａの隔壁５に着脱可能なユニットとして構成されており、筒状ケーシング２１の先端部を隔壁に形成した穴５ａに挿通することで装着され、離脱させることで脱着することが可能である。
【００５１】
搬送破砕装置Ｂは、先端が削土室７に開口して設けられた筒状ケーシング２１と、筒状ケーシング２１に接続された破砕部材２２と、破砕部材２２の内部に配置されたコーンローター２３と、破砕部材２２を貫通して配置されコーンローター２３を自由回転可能に装着する駆動軸２４と、駆動軸２４の先端に取り付けられたボス２５に設けた螺旋部材２６と、ボス２５に設けた攪拌部材２７と、を有して構成されている。
【００５２】
筒状ケーシング２１は、削土室７に開口した先端側に円筒部２１ａが形成されると共に該円筒部２１ａに連続して後方に向かうに従って径が拡大するテーパ部２１ｂが形成されている。円筒部２１ａの径は限定するものではなく、予め想定した礫の大きさに対応した寸法を持って形成されている。またテーパ部２１ｂのテーパ角度も特に限定するものではなく、ボス２５の形状や破砕部材２２の内面に形成した破砕壁２８及びコーンローター２３の形状等に応じて適宜設定されている。従って、筒状ケーシング２１の断面積は略一定である。
【００５３】
筒状ケーシング２１の先端側の外周面には複数の溝２１ｃが形成されており、この溝２１ｃに図示しないＯリング等の止水材を嵌装した状態で、隔壁５に形成された穴５ａに対し挿通又は離脱可能に構成されている。また、筒状ケーシング２１のテーパ部２１ｂに対応する位置には蓋２１ｄが設けられており、該蓋２１ｄを取り外すことで内部の点検を行えるように構成されている。
【００５４】
このように、筒状ケーシング２１を隔壁５に対し挿入し、或いは離脱させることで、搬送破砕装置Ｂを隔壁５に着脱することが可能であり、掘進機Ａの製作を合理化し、且つメンテナンスを容易に行うことが可能となる。特に、シールド本体１の所定位置（隔壁５に設けた穴５ａの近傍）には取付座２９が構成されており、筒状ケーシング２１を隔壁５の穴５ａに挿通すると共に取付座２９に取り付けることで、搬送破砕装置Ｂを配置することが可能である。
【００５５】
筒状ケーシング２１の長さは、駆動装置８の隔壁５からの突出長さに対応して該突出長さと略等しいか或いは長く設定される。即ち、筒状ケーシング２１の円筒部２１ａを隔壁５に取り付けたとき、テーパ部２１ｂの端部は駆動装置８の突出端部と略同じ位置か或いはより機内室６側（後方）に位置する。
【００５６】
従って、筒状ケーシング２１に接続された破砕部材２２は機内室６に於ける駆動装置８の突出端部よりも後方に位置することとなり、機内室６に於ける比較的広い空間に対応して位置することが可能となる。このため、破砕部材２２に設けた駆動軸２４を駆動する駆動モーター３０を取り付ける際に該駆動モーター３０の構造の選択の自由度や、取付姿勢の設定の自由度を高くすることが可能となる。
【００５７】
筒状ケーシング２１を取付座２９に取り付けたとき、該筒状ケーシング２１はシールド本体１の軸心に対し僅かな角度を持って傾斜して配置される。この傾斜角度は限定するものではなく、方向制御ジャッキ３の作動に伴ってシールド本体１とテールシールド２が最大角度で屈折したとき、テーパ部２１ｂの端部外周（筒状ケーシング２１の最も寸法の大きい部位）又は筒状ケーシング２１に接続された破砕部材２２が、テールシールド２の内周面に接触することがないような角度であれば良い。従って、シールド本体１の長さや径等の条件によっては、筒状ケーシング２１はシールド本体１の軸心と平行に設定されることもある。
【００５８】
破砕部材２２は筒状ケーシング２１のテーパ部２１ｂの端部に接続されている。この破砕部材２２の内面には前記テーパ部２１ｂの最大径と等しい径を持つ先端から後端側に向けて径が小さくなるロート状に形成された破砕壁２８が形成されており、後端側の壁部２２ａには、駆動軸２４を支持する支持部２２ｂと、破砕壁２８とコーンローター２３とによって構成された破砕室３２に連通した排出室２２ｃが形成されている。
【００５９】
壁部２２ａは支持部２２ｂを構成するのに必要な寸法を有しており、該壁部２２ｂの下方であって支持部２２ｂの周囲に排出室２２ｃが形成されている。この排出室２２ｃには排出部材を構成する排泥管１０が接続されている。
【００６０】
破砕壁２８はコーンローター２３と共に礫を破砕する機能を有するものであり、表面には複数の突起２８ａが形成されている。破砕壁２８の前端側の径は筒状ケーシング２１のテーパ部２１ｂの後端側に於ける最大径と等しく設定され、後端側の径（破砕部材２２の壁部２２ｂ側の径）はコーンローター２３の元端部２３ｂの径との関係で設定される。即ち、破砕壁２８の後端側の径は、偏心回転するコーンローター２３の元端部２３ｂが離隔したときの隙間が排出部材を構成する送泥管１０による破砕された礫の排出可能寸法と略等しいか或いは小さい寸法となるように設定される。
【００６１】
破砕部材２２を貫通して駆動軸２４が配置されており、本体部２４ａが支持部２２ｂに取り付けた複数の軸受に嵌合することで回転可能に支持されている。駆動軸２４の前端側は破砕部材２２を貫通して略筒状ケーシング２１のテーパ部２１ｂの近傍に達している。しかし、駆動軸２４の前端側が如何なる位置にあるかは限定するものではない。また、駆動軸２４の後端側は破砕部材２２の壁部２２ａから機内室６に突出しており、この突出した部分に設けた伝動機構を介して駆動モーター３０に駆動されている。
【００６２】
駆動軸２４の本体部２４ａを破砕部材２２の支持部２２ｂに支持したとき、破砕壁２８と対応する位置に偏心部２４ｂが形成され、偏心部２４ｂの前端側に連続して本体部２４ａと同心状の先端部２４ｃが形成されている。従って、駆動軸２４は、本体部２４ａと先端部２４ｃは同心回転し、偏心部２４ｂが偏心回転することになる。本体部２４ａに対する偏心部２４ｂの偏心量は限定するものではなく、地山を構成する岩盤層の質や掘削すべきトンネルの径等の条件に応じて適宜設定することが好ましい。本実施例では約５ｍｍに設定している。
【００６３】
コーンローター２３は、先端２３ａの径が小さく元端部２３ｂの径が大きい円錐台状に形成され、外表面（テーパ面）には複数の突起２３ｃが形成されており、駆動軸２４の偏心部２４ｂに自由回転可能に装着されている。即ち、駆動軸２４の偏心部２４ｂには複数の軸受３１が取り付けられており、これらの軸受３１によってコーンローター２３が回転可能に支持されている。従って、コーンローター２３は駆動軸２４が回転したときには該駆動軸２４の本体部２４ａの回転中心を中心として偏心回転を行う。そして、コーンローター２３に周方向の力が作用したとき、この力に応じて駆動軸２４に対し相対的に回転することになる。
【００６４】
コーンローター２３の先端２３ａの径や元端部２３ｂの径及びテーパ角度は特に限定するものではないが、先端２３ａはボス２５の外径よりも駆動軸２４の偏心寸法に対応した寸法だけ小さい寸法を有しており、駆動軸２４の偏心に関わらず先端２３ａの外周縁がボス２５の外周から飛び出すことがないように構成されている。またコーンローター２３の元端部２３ｂの径は破砕壁２８との最大隙間寸法が排泥管１０による破砕した礫の排出可能寸法と略同じかより小さい寸法となるように構成されている。
【００６５】
コーンローター２３を駆動軸２４の偏心部２４ｂに装着したとき、該コーンローター２３の表面と破砕壁２８の表面との間に、先端側の間隔が大きく後端側に向けて間隔が小さくなる破砕室３２が形成される。
【００６６】
上記の如く構成されたコーンローター２３の内部には軸受３１を嵌合するための空間が形成されている。このため、コーンローター２３の先端２３ａ側の及び元端部２３ｂ側の面は夫々掘削土砂や水が入り込まないようにシールされている。即ち、コーンローター２３の先端２３ａ側には駆動軸２４の先端部２４ｃに取り付けたボス２５又は旋回部材２７の対向する面との間にリップシール及びフローティングシールが設けられており、元端部２３ｂ側には破砕部材２２の壁部２２ｂとの間にメカニカルシールが設けられている。そして、これらのシール材によってコーンローター２３の内部に土砂や水が浸入することを防止している。
【００６７】
駆動軸２４の先端部２４ｃにボス２５がキー３３を介して取り付けられている。即ち、ボス２５は、該ボス２５に取り付けられた螺旋部材２６や攪拌部材２７にトルクを伝達する機能を有するものである。特に、ボス２５は筒状ケーシング２１の略中心に位置するため、該筒状ケーシング２１の内部に於ける土砂や礫の搬送を阻害することがないように、先端の径が小さく後端側に向かって径が大きくなる砲弾形状に形成されている。
【００６８】
ボス２５には螺旋部材２６が取り付けられており、該螺旋部材２６と筒状ケーシング２１とによって削土室７にある土砂や礫を搬送するコンベアを構成している。ボス２５に対する螺旋部材２６の取付構造は特に限定するものではない。しかし、螺旋部材２６は土砂や礫を搬送するために大きなトルクが作用するため、螺旋部材２６はボス２５に対し溶接等の手段で強固に取り付けられることが好ましい。
【００６９】
螺旋部材２６は先端が筒状ケーシング２１の先端に略一致するように或いは先端から削土室７に突出するように配置されると共に、筒状ケーシング２１の略全長にわたって配置されている。このため、螺旋部材２６は円筒部２１ａに対応する部分では外周面２６ａの径が該円筒部２１ａの内径よりも僅かに小さく形成されており、テーパ部２１ｂに対応する部分では該テーパ部２１ｂのテーパ角度に対応したテーパを有し且つテーパ部２１ｂの内径よりも僅かに小さい径を持って形成されている。
【００７０】
螺旋部材２６は、長尺状の鋼板をコイル状に巻き付けて構成されており、外周面２６ａが筒状ケーシング２１を構成する円筒部２１ａ、テーパ部２１ｂの内周面と対向し且つ内周面２６ｂが予め設定された仮想円３５の周面に位置するように形成されている。螺旋部材２６の螺旋ピッチは略一定であり、該螺旋部材２６の羽根と筒状ケーシング２１の円筒部２１ａの内周面との間に構成された空間の容積は一定である。
【００７１】
上記の如く構成された螺旋部材２６では、中心に仮想円３５の直径に相当する貫通空間が形成されることとなり、土砂や礫を搬送する際に、筒状ケーシング２１の全断面がこれらの土砂や礫によって閉塞されることがない。このため、常に水の流れを確保することが可能であり、この流れによって土砂の移動を助けることが可能である。
【００７２】
尚、螺旋部材２６の先端側の羽根の表面には硬質材料による溶接肉盛り部が形成されている。この該溶接肉盛り部は螺旋部材２６により削土室７にある土砂や礫を筒状ケーシング２１内に取り込む際の摩耗を防ぐためのものであり、先端から２〜３枚分程度の羽根に形成されている。
【００７３】
ボス２５には攪拌部材２７が一体的に設けられている。攪拌部材２７は螺旋部材２６と共に回転し、該螺旋部材２６の後端側から破砕壁２８の間に形成された空間と破砕室３２の内部を攪拌してこの空間内にある土砂や礫を流動させる機能を有するものである。
【００７４】
このため、攪拌部材２７は、ボス２５の外周面から突出して形成されたアーム２７ａと、アーム２７ａの先端に設けた翼部２７ｂと、を有して構成されている。特に、翼部２７ｂは螺旋部材２６の後端部と破砕壁２８との間の空間及び破砕室３２に土砂や礫が滞留することがないように、先端側の幅及び厚さが大きく、後端側の幅及び厚さが小さく形成され、回転方向上流側の端面２７ｃが略直線状に形成され、回転方向下流側の端面２７ｄが傾斜面として形成されている。
【００７５】
従って、攪拌部材２７が回転すると翼部２７ｂは螺旋部材２６の後端部と破砕壁２８との間の空間及び破砕室３２の内部を駆動軸２４の先端部２４ｃを中心とする円周に沿って移動し、この移動過程で前記空間及び破砕室３２にある土砂や礫に衝突して破砕室３２の後端側へと移動させることが可能である。
【００７６】
シールド本体１の軸心又は軸心に沿った近傍には掘進機Ａの推進方向を制御するために必要なレーザプロジェクターやインジケーターが設けられている。このため、駆動軸２４を駆動する駆動モーター３０は、駆動軸２４の軸心方向に対し直交方向に、且つシールド本体１の中心軸を避けるように該軸心から周壁方向に傾斜した状態で配置されている。
【００７７】
前述したように、筒状ケーシング２１は隔壁５に設けた駆動装置８の突出端部よりも機内室６の後方となるような寸法を有しているため、該筒状ケーシング２１に接続された破砕部材２２は更に機内室６に於ける駆動装置８から離隔した位置を占めることとなる。従って、駆動モーター３０が駆動装置８に干渉することはなく、且つ該駆動モーター３０の姿勢をシールド本体１の軸心から周壁側に向けて傾斜させることによって、レーザプロジェクターやインジケーターに干渉することもない。
【００７８】
上記の如く構成された掘進機Ａでは、送泥管９から削土室７に水を供給し、且つ駆動モーター３０によって駆動軸２４を駆動することでコーンローター２３を偏心回転させると共に螺旋部材２６、旋回部材２７を回転させつつ、カッターヘッド４を回転させて掘進機Ａを推進すると、掘削された土砂や礫が削土室７に取り込まれる。
【００７９】
削土室７に取り込まれた土砂や礫は、螺旋部材２６と筒状ケーシング２１とによって供給された水と共に後方に搬送される。このとき、螺旋部材２６の内周面２６ｂが仮想円３５の直径に相当する円周上に位置するため、該螺旋部材２６の中心に貫通した空間が形成され、羽根の間に大量の土砂や礫を取り込んだとしても、土砂と水は前記空間を通って後方に流れることが可能である。即ち、筒状ケーシング２１に取り込まれた土砂や礫は、螺旋部材２６の回転と水の流れによって搬送されることとなり、円滑な搬送を実現することが可能である。
【００８０】
筒状ケーシング２１の内部を螺旋部材２６によって搬送された土砂や礫は、該螺旋部材２６の後端であるボス２５の近傍に形成された空間に達したとき、螺旋部材２６による搬送から離脱し、水の流れによって搬送される。前記空間は攪拌部材２７の翼部２７ｂによって常に攪拌されており、この攪拌によって該空間に到達した土砂や礫を破砕室３２に移動させている。
【００８１】
そして、破砕室３２に移動した土砂や礫は、偏心回転するコーンローター２３と破砕壁２８とに挟まれる。このとき、土砂は圧密されつつ攪拌部材２７の翼部２７ｂに攪拌されて流動化し、水の流れに伴って排出室２２ｃに排出され、該排出室２２ｃから排泥管１０を経て外部に排出される。
【００８２】
また、礫は、コーンローター２３の駆動軸２４の回転に伴う回転軸心から外周側へと移動する動作により破砕壁２８に挟まれて押し潰されるようにして破砕される。このときコーンローター２３には礫の破砕に伴う力が作用し、この力に応じて駆動軸２４の偏心部２４ｂを中心として回転する。
【００８３】
上記の如く、礫に対する破砕はコーンローター２３が駆動軸２４の回転軸心から外周側へと移動する際に生じる力によって行われるが、この力は極めて大きいため、駆動軸２４の回転トルクは小さくてすみ、駆動モーター３０の出力を小さくすることが可能である。
【００８４】
これに対し、特許文献１に記載されているように軸に固定したクラッシャー回転体によって礫を破砕する構造では、礫をクラッシャー回転体と該クラッシャー回転体の外側に配置された破砕壁との間に挟んでせん断して破砕することとなり、極めて大きいトルクが要求される。更に、礫とクラッシャー回転体とは大きい力が作用した状態で滑りを生じるため摩耗が激しくなり、この結果、破砕された礫が大きくなって円滑な排出を阻害することもある。
【００８５】
特に、破砕室３２に到達した礫は攪拌部材２７の翼部２７ｂによって攪拌されるため、該破砕室３２の下方に滞留することがなく満遍なく分散される。このため、コーンローター２３の略全周で礫の破砕を行うことが可能となり、礫に対する破砕処理能力を向上させることが可能となる。
【００８６】
上記の如くして破砕された礫は、コーンローター２３の元端部２３ｂと破砕壁２８との間を通って排出室２２ｃに排出され、該排出室２２ｃから排泥管１０を経て外部に排出される。
【実施例２】
【００８７】
次に第２実施例に係る掘進機Ａの構成について図４により説明する。図に示す掘進機Ａは、第１実施例に係る掘進機Ａと比較して螺旋部材の構成と水の供給系の一部の構成が異なっている。このため、図４に於いて、前述の第１実施例に係る掘進機Ａと同一の部分及び同一の機能を有する部分には同一の符号を付して説明を省略する（以下同じ）。
【００８８】
図に示すように、筒状ケーシング２１の内部に配置された螺旋部材４０は、駆動軸２４の前端に取り付けられたボス２５に固定された軸４０ａと、ボス２５及び軸４０ａの外周面に固定された羽根４０ｂと、によって構成されている。羽根４０ｂは、外周面が筒状ケーシング２１の内周面と対向して配置されており、前後の羽根４０ｂと、筒状ケーシング２１の内周面と、軸４０ａの外周面とによって構成された搬送空間４１に土砂や礫を取り込んで搬送し得るように構成されている。
【００８９】
機内室６に配置されている送泥管９から分岐管４５が分岐しており、該分岐管４５はバルブ４５ａを介して筒状ケーシング２１に接続されている。分岐管４５の筒状ケーシング２１に対する接続位置は特に限定するものではなく、該筒状ケーシング２１と螺旋部材４０とによって構成された搬送空間４１に水を供給することが可能であれば良い。
【００９０】
しかし、分岐管４５から搬送空間４１に水を供給することによって、該搬送空間４１に取り込んだ土砂や礫を円滑に搬送すると共に破砕室３２に存在する土砂や礫を速やかに排出室２２ｃに排出し得ることが好ましい。このため、本実施例では、分岐管４５を筒状ケーシング２１を構成するテーパ部２１ｂに接続している。
【００９１】
上記の如く構成された掘進機Ａでは、削土室７に取り込まれた土砂や礫は、螺旋部材４０の回転に伴って搬送空間４１に取り込まれて後方へと搬送され、筒状ケーシング２１のテーパ部２１ｂに連続した破砕室３２に搬送される。破砕室３２に搬送された土砂は攪拌部材２７によって破砕室３２の内部で移動しながら排出室２２ｃに排出され、礫は破砕室３２の内部で破砕されて小片となり排出室２２ｃに排出される。
【００９２】
螺旋部材４０による土砂や礫の搬送過程で、搬送空間４１に大量の土砂や礫と取り込んで該搬送空間４１が閉塞されてしまうことがある。この場合、削土室７から破砕室３２への水の流れが停止して水流による搬送、土砂の流動性の確保等を期待し得なくなり、駆動軸２４の駆動モーター３０に過大な負荷が作用する虞が生じる虞がある。
【００９３】
本実施例では、分岐管４５を介して筒状ケーシング２１、特に、テーパ部２１ｂの内部に直接水を供給することによって、破砕室３２内の水流を確保することが可能となり、該破砕室３２内に於ける土砂の排出、礫の破砕と排出を確実に行うことが可能となる。このため、駆動軸２４の駆動モーター３０に過大な負荷が作用することがなく、円滑で且つ確実な土砂や礫の搬送と排出を行うことが可能である。
【実施例３】
【００９４】
次に第３実施例に係る掘進機Ａの構成について図５により説明する。図に示す掘進機Ａでは、削土室７に供給された水を筒状ケーシング２１に導いて該筒状ケーシング２１の内部に供給し得るように構成されている。
【００９５】
即ち、本実施例に係る掘進機Ａでは、前端側が機内室６と削土室７を分離する隔壁５に開口し後端側が筒状ケーシング２１のテーパ部２１ｂに接続された供給管４６が設けられている。この供給管４６にはバルブ４６ａが設けられており、該バルブ４６ａの開閉に伴って削土室７と筒状ケーシング２１のテーパ部２１ｂとを接続し、或いは遮断し得るように構成されている。
【００９６】
上記の如く構成された掘進機Ａでは、削土室７の内部圧力は地山の地下水圧と平衡し、テーパ部２１ｂの内部圧力は削土室７の内部圧力よりも低い（排泥管１０には図示しない排泥ポンプによる吸い込みが作用しているため）。特に、筒状ケーシング２１と螺旋部材４０とによって構成された搬送空間４１が土砂や礫によって閉塞されたような場合には、削土室７とテーパ部２１ｂの内部圧力の差はより大きくなる。
【００９７】
このため、送泥管９から削土室７に供給された水は、供給管４６を経てテーパ部２１ｂの内部に確実に供給される。そして、供給管４６を介してテーパ部２１ｂの内部に直接水を供給することによって、破砕室３２内の水流を確保することが可能となり、該破砕室３２内に於ける土砂の排出、礫の破砕と排出を確実に行うことが可能となる。
【産業上の利用可能性】
【００９８】
本発明に係る掘進機は、岩盤層や粘性土層からなる地山に比較的径の小さいトンネルを掘削する際に利用して有利である。
【符号の説明】
【００９９】
Ａ                  掘進機
Ｂ                  搬送破砕装置
Ｃ                  推進管
１                  シールド本体
１ａ                周壁
２                  テールシールド
３                  方向制御ジャッキ
４                  カッターヘッド
４ａ                ボス部
４ｂ                スポーク
４ｃ                面板
５                  隔壁
５ａ                穴
６                  機内室
７                  削土室
８                  駆動装置
９                  送泥管
１０                排泥管
１１〜１３          機器類
１４                テレビカメラ
１５                支持部
１７                ローラーカッター
１８                カッタービット
１６                取込口
２１                筒状ケーシング
２１ａ              円筒部
２１ｂ              テーパ部
２１ｃ              溝
２１ｄ              蓋
２２                破砕部材
２２ａ              壁部
２２ｂ              支持部
２２ｃ              排出室
２３                コーンローター
２３ａ              先端
２３ｂ              元端部
２３ｃ              突起
２４                駆動軸
２４ａ              本体部
２４ｂ              偏心部
２４ｃ              先端部
２５                ボス
２６                螺旋部材
２６ａ              外周面
２６ｂ              内周面
２７                攪拌部材
２７ａ              アーム
２７ｂ              翼部
２７ｃ、２７ｄ      端面
２８                破砕壁
２９                取付座
３０                駆動モーター
３１                軸受
３２                破砕室
３３                キー
３５                仮想円
４０                螺旋部材
４０ａ              軸
４０ｂ              羽根
４１                搬送空間
４５                分岐管
４５ａ、４６ａ      バルブ
４６                供給管
【図１】
0005443961.tif 000002
【図２】
0005443961.tif 000003
【図３】
0005443961.tif 000004
【図４】
0005443961.tif 000005
【図５】
0005443961.tif 000006